【事件の表示】
　特願２００９−５２２３７４「画像データセットのスケールベースで可視化する方法、装置、及びコンピュータ可読媒体」拒絶査定不服審判事件〔平成２０年　２月　７日国際公開、ＷＯ２００８／０１５５９２、平成２１年１２月２４日国内公表、特表２００９−５４５３５５〕について、次のとおり審決する。
【結　論】
　本件審判の請求は、成り立たない。
【理　由】
　
第１　手続の経緯 
　本願は、平成１９年７月５日（優先権主張：平成１８年７月３１日　（ＥＰ）欧州特許庁）を国際出願日として特許出願されたものであって、平成２４年１２月１３日付けで拒絶理由が通知され、平成２５年３月１５日に意見書及び手続補正書が提出されたが、同年７月１７日付けで拒絶査定がなされ、同拒絶査定の謄本は同月２３日に請求人に送達された。
　これに対し、同年１１月２２日に拒絶査定不服審判が請求されるとともに、それと同時に手続補正（以下「本件補正」という）がなされたものである。
第２　平成２５年１１月２２日にされた手続補正についての補正の却下の決定 
［補正の却下の決定の結論］ 
　平成２５年１１月２２日にされた手続補正（以下、「本件補正」という。）を却下する
［補正の却下の決定の理由］
１　本件補正について
　本件補正は、平成２５年３月１５日に提出された手続補正書に記載された特許請求の範囲の請求項１の記載（下記（１）参照。）を、平成２５年１１月２２日に提出された手続補正書に記載された特許請求の範囲の請求項１の記載（下記（２）参照。）とする補正事項をその一部に含むものである。
（１）平成２５年３月１５日に提出された手続補正書に記載された特許請求の範囲の請求項１の記載
　「【請求項１】
　画像データセットのスケールベースの可視化に使用する方法であって、
　前記画像データセットに統計的にしばしば存在するグレイ値を含む、前記画像データセットの第１セットのボクセルを識別するステップと、
　前記画像データセットに統計的にあまり存在しないグレイ値を有する、第２セットのボクセルを識別するステップと、
　非線形である伝達関数を使用して、前記第１セットのボクセル及び前記第２セットのボクセルに基づくスケールを計算するステップとを有し、
　前記第１セットのボクセルが、前記第２セットのボクセルよりも高いパーセンテージの相互利用空間を与えられる、方法。」
（２）平成２５年１１月２２日に提出された手続補正書に記載された特許請求の範囲の請求項１の記載
　「【請求項１】
　画像データセットのスケールベースの可視化に使用する方法であって、
　前記画像データセットに統計的にしばしば存在するグレイ値を含む、前記画像データセットの第１セットのボクセルを識別するステップと、
　前記画像データセットに統計的にあまり存在しないグレイ値を有する、第２セットのボクセルを識別するステップと、
　非線形である伝達関数を使用して、前記第１セットのボクセル及び前記第２セットのボクセルに基づくスケールを計算するステップとを有し、
　前記第１セットのボクセルが、前記第２セットのボクセルよりも高いパーセンテージの相互利用空間を与えられ、
　前記伝達関数が、ヒストグラムにおいて各ボクセルが存在する回数を累積することにより計算される
　（下線部は補正箇所を示す。）
２　本件補正の適否について
（１）補正の目的及び新規事項の追加の有無について
　本件補正は、本件補正前の請求項１に記載された発明を特定するために必要な事項である「伝達関数」が「ヒストグラムにおいて各ボクセルが存在する回数を累積することにより計算される」ものであることを限定することを含むものであって、特許法第１７条の２第５項第２号の特許請求の範囲の減縮を目的とするものに該当する。
　そして、「伝達関数」が「ヒストグラムにおいて各ボクセルが存在する回数を累積することにより計算される」ものである点は、本願の願書に最初に添付された特許請求の範囲、明細書又は図面（以下、「当初明細書等」という。）の【００２９】段及び【図３】に記載されていることから、当該補正事項は当初明細書等に記載された事項の範囲内においてするものである。
（２）独立特許要件について
　そこで、本件補正後の請求項１に係る発明（以下、「補正発明」という。）が特許出願の際に独立して特許を受けることができるものであるか否か（特許法第１７条の２第６項において準用する同法第１２６条第７項の規定に適合するか）について以下に検討を行う。
ア　引用文献の記載事項
（ア）本願の優先日前に頒布され、原査定の拒絶の理由において引用された刊行物である特開２００５−３１９２１４号公報（以下、「引用文献１」という。）には、以下の事項が図面と共に記載されている。 
　（下線は当審により付加した。） 
ａ　「【技術分野】
【０００１】
　本発明は、画像のダイナミックレンジを変更する画像処理装置及びその方法、プログラムに関するものである。
【背景技術】
【０００２】
　近年のデジタル技術の進歩により、
放射線画像をデジタル画像信号（以後、デジタル画像信号を構成する画素の値を画素値と呼ぶ）に変換し、該デジタル画像信号に画像処理を行い、ＣＲＴ等の表示装置に表示あるいはフィルムに出力することが行われている。
【０００３】
　ところで、
放射線画像が撮影された場合、変換されたデジタル画像信号を表示あるいはフィルム出力に適した画像にするため、直線又はフィルムの特性を示すＳ字状の階調変換曲線等のＬＵＴを用いて、階調変換処理するのが一般的である。
ｂ　「【０００４】
　また、人体のＸ線画像の場合、被写体の固体差、撮影条件等により被写体のダイナミックレンジが異なるため、予め被写体のダイナミックレンジの最小値と最大値が最適に収まるように被写体のダイナミックレンジを変更（圧縮または伸長）することが行われる（例えば、非特許文献１参照）。」
ｃ　「【００１３】
　しかしながら、非特許文献１に記載される方法では、画像のダイナミックレンジが過剰に圧縮された場合にコントラストが不足する課題がある。
【００１４】
　逆に、過剰に伸長された場合には、必要以上にコントラストがついてしまう課題がある。さらに、
画像全体に対して一律な圧縮或いは伸長処理が行われるため、局所領域毎に考えた場合、少ない情報量に対して無駄に広いダイナミックレンジが割り当てられたり、情報量が多いにも関わらず狭いダイナミックレンジが割り当てられてしまうという課題がある。
ｄ　「【００４７】
　・・・ここで、関心領域は、素抜けを除いた被写体領域に限定されるものではなく、被写体内の特定部分を関心領域として抽出してもよい、また関心領域は手動で設定しても良い。
【００４８】
　次に、ステップＳ２０２において、変更量設定回路１１４が領域抽出回路１１３で抽出された関心領域のダイナミックレンジ変更量の設定を行う。ここで、ダイナミックレンジ変更量の設定方法は特に限定しないが、手動で設定しても良いし、出力媒体のダイナミックレンジや出力の際に用いる階調変換曲線に基づいて算出しても良い。本実施形態では、操作パネル１１０によってユーザが手動で設定できる構成となっている。
【００４９】
　次に、ステップＳ２０３において、
ヒストグラム作成回路１１５が領域抽出回路１１３で抽出された関心領域の画素値に基づくヒストグラムを作成する。ヒストグラムは画素値に対する出現頻度を表す濃度値ヒストグラム
濃度値ヒストグラムの出現頻度が高い領域ほど画像の情報が集中していることを意味する。
【００５０】
　次に、ステップＳ２０４において、
ＬＵＴ作成回路１１６がヒストグラム作成回路１１５で作成されたヒストグラムの画素値区間毎のヒストグラム値に基づいて、ＬＵＴを作成するＬＵＴ作成処理を実行する。
ｅ　「【００５４】
　まず、図３のフローチャートを用いて、ダイナミックレンジを圧縮する場合の圧縮用ＬＵＴ作成処理について説明する。
【００５５】
　まず、ステップＳ３０１において、画素値区間毎のヒストグラム値及び圧縮率を算出する。ヒストグラム値及び圧縮率を算出する単位となる初期区間は、例えば、図５（ａ）のａ，ｂのように重ならないように設定しても良いし、図５（ｂ）のａ、ｂのように重なるように設定してもよい。
【００５６】
　本実施形態では、図５（ｂ）のように重なる２階調分づつを区間として設定する。ここで、区間毎のヒストグラム値は、図６のように設定した画素値幅内のヒストグラム値の和をそれぞれ算出すれば良い。区間毎の圧縮率は、１／（区間の入力階調数）として定義し、圧縮率が１より小さいほど、圧縮の度合いが強いことを意味する。本実施形態では、初期状態の区間の入力階調数は２であるので圧縮率は１／２となる。
【００５７】
　次に、ステップＳ３０２において、
圧縮率が制限範囲内の区間で、かつヒストグラム値が最小となる区間を探索する。
【００５８】
　次に、ステップＳ３０３において、ヒストグラム値が最小となる区間のＬＵＴの傾きを変更する。
【００５９】
　具体的には、区間内の出力画素値が同じになるようにＬＵＴを変更する。例えば、図７（ａ）が初期状態のＬＵＴである。
初期状態のＬＵＴはリニアであり、入力と出力の階調数は同一である。ここで、図６のヒストグラムの場合、区間ｃがヒストグラム値が最小となる区間であるので、この区間の画素値が、図７（ｂ）のように同一となるように変更する。また、区間ｃ以外の区間の傾きが変わらないように、区間ｃ以上の各区間の画素値は同様の比率でシフトさせる。
【００６０】
　
次に、ステップＳ３０４において、ダイナミックレンジが最適であるか否かを判定する。ここで、最適であるか否かの判定は、変更量設定回路１１４で設定されたダイナミックレンジと作成されたＬＵＴの出力ダイナミックレンジが等しいか否かを判定する。等しい場合、つまり、最適である場合（ステップＳ３０４でＹＥＳ）、ＬＵＴの作成は終了する。一方、等しくない場合、つまり、最適でない場合（ステップＳ３０４でＮＯ）、さらにＬＵＴの変更を行うために、ステップＳ３０５に進む。
【００６１】
　
次に、ステップＳ３０５において、ダイナミックレンジをさらに圧縮する場合は各画素値区間を更新し、ステップＳ３０１で区間毎のヒストグラム値及び圧縮率を再計算する。
【００６２】
　まず、図６の区間ｃに対する出力後画素値は既に統一されたので、区間ｃは結合し、図８のａ’、ｂ’、c’のように区間を更新する。
【００６３】
　そして、ステップＳ３０１に戻り、更新された区間内のヒストグラム値の和を再計算する。また、ｂ’及びｃ’は区間の入力階調数が３となるので区間ｂ’及びｃ’の圧縮率を１／３に更新する。
【００６４】
　ここで、再び、ステップＳ３０２及びステップＳ３０３によって、ＬＵＴを変更していく。図８では、区間ｂ’がヒストグラム値が最小となる区間となるので、図９（ａ）のように更新されたＬＵＴを、図９（ｂ）のようにさらに変更する。
【００６５】
　
以上のような一連の操作を所望とするダイナミックレンジになるまで、繰り返し行い最適なＬＵＴを作成する。
【００６６】
　
このように作成された圧縮用ＬＵＴでは、濃度値ヒストグラムを元に作成した場合、濃度分布が疎な領域が優先的に圧縮される。このことにより、画像全体で圧縮される画素の数が必要最低限に減少されるため、画像全体でみた場合のコントラストの低下を極力抑えることができる。
ｆ「【図２】
  」
ｇ「【図３】
」
ｈ「【図６】
」
ｉ「【図７】
」
ｊ「【図８】
」
ｋ「【図９】
」
（イ）本願の優先日前に頒布され、原査定の拒絶の理由において引用された刊行物である特開２００５−３４２５１６号公報（以下、「引用文献２」という。）には、以下の事項が図面と共に記載されている。 
　（下線は当審により付加した。） 
ａ　「【０００１】
　本発明は、一般には興味のある範囲を解析する超音波方法および装置に関し、詳細には反転モード超音波画像とヒストグラム情報の同時表示する方法および装置に関する。
【背景技術】
【０００２】
　超音波システムは、医学への応用や非医学分野などにおいて、種々の興味のある範囲を解析するために長く存在している。従来の超音波システムは、様々な方式や構成で超音波情報を表示する。一例として、既存の超音波システムは、ユーザにより決められる各スライス位置で得られたデータ量に基づき、一連の二次元画像やスライス画像を表示可能である。二次元スライスや画像のセットに加えて、レンダリングされた画像（例えば、三次元表示）が、１つ以上の二次元画像やスライスとともに個々にまたは同時に表示可能である。従来のシステムは、画像の回転や、画像生成に用いるパラメータを調整するために、様々な機能をユーザに提供している。表示される画像は、興味のある範囲の各走査から受信されるエコー信号強度のグレースケール表示、カラー情報、反転グレースケール表示など、様々な方法で超音波情報を表示する。」
ｂ　「【００１８】
　図４の例において、モジュール２１０は、システム制御器２１２、体積レンダリングプロセッサ２１４、およびビデオプロセッサ２１６を備えて、これらを実行する。
体積レンダリングプロセッサ２１４は、少なくとも体積レンダリング動作を行い、１つ以上の体積に対する記憶された超音波データに基づいて体積レンダリングされた画像を生成する。
【００１９】
　超音波システム２００は、共通ブロックとして図４中に示されるメモリモジュール２２２も備える。・・・メモリモジュール２２２は、体積測定データセット２２４、ヒストグラム情報２２６、ビデオメモリ２２８、反転マップ２３０、表面レンダリングマップ２３２、および画像スライス２３４を記憶するための共通および個々のメモリ空間を備える。
【００２０】
　
体積測定データセット２２４は、興味のある範囲内の体積を表す超音波データの１つ以上のセットから成る。
各体積測定データセットはボクセルの三次元配列から成り、各ボクセルは興味ある範囲内の対象空間中の特定箇所に対応するグレースケール値を含んでいる。
ｃ　「【００２４】
　図４に戻ると、メモリモジュール２２２は、体積レンダリングプロセッサ２１４により用いられて表示器２１８により順に表示されるレンダリングされた体積を構成する、１つ以上の表面レンダリングマップ２３２をさらに備える。
【００２５】
　
図８は、例示的な表面レンダリング機能２４８のグラフを示す。グラフの横軸は入力グレースケールを示し、縦軸は出力不透明値を示す。
ｄ　「【図４】
」
ｅ　「【図８】
」
（ウ）本願の優先日前に頒布され、原査定の拒絶の理由において引用された刊行物である特開２００１−２４３４６４号公報（以下、「引用文献３」という。）には、以下の事項が図面と共に記載されている。 
　（下線は当審により付加した。） 
ａ　「【０００１】
【発明の属する技術分野】本発明は、例えば、医用ディジタルＸ線画像を取得する装置或いはシステムに用いられる、画像処理装置、画像処理システム、画像処理方法、及びそれを実施するための処理ステップをコンピュータが読出可能に格納した記憶媒体に関するものである。」
ｂ　「【００４０】上記
図１において、“１０１”は、Ｘ線撮影によって取得された被写体（ここでは、人体）の特定の部位の画像（入力画像）のＸ線量（画素値）のヒストグラムを示し、“１０３”は、ヒストグラム１０１を均一化する階調変換を行うための階調変換テーブルを示したものである。
【００４１】
階調変換テーブル１０３は、ヒストグラム均一化（Ｈｉｓｔｏｇｒａｍ Ｅｑｕａｌｉｚａｔｉｏｎ）と呼ばれる技術によって、ヒストグラム１０１を累積して作成される。
【００４２】したがって、階調変換テーブル１０３は、入力画像の画素値を“ｘ”（Ｘｍｉｎ≦ｘ≦Ｘｍａｘ）、ヒストグラム１０１を“Ｈ（ｘ）”、階調変換テーブルを“Ｌ（ｘ）”として、
【００４３】
【数１】
【００４４】なる式（１）で表される。
【００４５】ヒストグラム１０１が得られる入力画像を、階調変換テーブル１０３によって階調変換すると、大局的には均一化されたヒストグラム１０６を有する画像が得られる。」
ｃ　「【図１】
」
イ　引用文献１に記載された発明について
（ア）上記摘記事項ア（ア）ａ、ｄ、ｅの記載から、引用文献１には、「被写体内の関心領域のデジタル画像信号のダイナミックレンジを圧縮し、表示する画像処理方法」が記載されているものと認められる。
（イ）上記摘記事項ア（ア）ｅ及びｈないしｋの記載から、引用文献１には、「画素値に対する出現頻度を表す濃度値ヒストグラムにおいて、ヒストグラム値が最小となる区間を探索し、この区間の画素値が圧縮されるようにＬＵＴの傾きを変更するという一連の操作を、所望とするダイナミックレンジになるまで繰り返し行い、圧縮用ＬＵＴを作成する」ことが記載されているものと認められる。
（ウ）上記摘記事項ア（ア）ａ及びｅの記載から、「被写体内の関心領域のデジタル画像信号」は、「圧縮用ＬＵＴ」を用いて「濃度分布が疎な領域が優先的に圧縮され」る階調変換処理されるものと認められる。
（エ）上記摘記事項ア（ア）ｃ及びｆないしｊの記載並びに上記（ウ）に照らして、引用文献１に記載された発明の「圧縮用ＬＵＴ」は「濃度分布が疎な領域が優先的に圧縮され」ていることから、入出力特性が非線形なものとなっており、「圧縮用ＬＵＴ」を用いた階調変換はダイナミックレンジに関して、濃度分布が密な領域が、濃度分布が疎な領域よりも大きな範囲を割り当てられるものと認められる。
（オ）以上、上記（ア）ないし（エ）の記載を総合して、本願発明に倣って整理すれば、引用文献１には、「被写体内の関心領域のデジタル画像信号のダイナミックレンジを圧縮し、表示する画像処理方法であって、
　濃度値ヒストグラムについて、ヒストグラム値が最小となる区間を探索し、この区間の画素値が圧縮されるようにＬＵＴの傾きを変更するという一連の操作を、所望とするダイナミックレンジになるまで繰り返し行うことにより作成された、入出力特性、すなわち入出力変換のための伝達関数が非線形な圧縮用ＬＵＴを用いて、前記被写体内の関心領域のデジタル画像信号に対して、濃度分布が疎な領域が優先的に圧縮される階調変換処理を行い、
　前記階調変換処理の結果、ダイナミックレンジに関して、濃度分布が密な領域に、濃度分布が疎な領域よりも大きな範囲が割り当てられる、方法。」の発明（以下、「引用発明」という。）が記載されているものと認められる。
ウ　対比
　補正発明と引用発明とを対比する。
（ア）引用発明の「被写体内の関心領域のデジタル画像信号のダイナミックレンジを圧縮し、表示する画像処理方法」は、補正発明の「画像データセットのスケールベースの可視化に使用する方法」に相当する。
（イ）引用発明は、「圧縮用ＬＵＴ」の作成において、「濃度値ヒストグラムにおいて、ヒストグラム値が最小となる区間を探索し」ており、このことは、ヒストグラム値が最小となる区間に属する画素の集合体と、それ以外のヒストグラム値が最小となる区間よりも大きな区間に属する画素の集合体を識別していることに他ならない。
　したがって、引用発明の「濃度値ヒストグラムにおいて、ヒストグラム値が最小となる区間を探索」する操作と、補正発明の「前記画像データセットに統計的にしばしば存在するグレイ値を含む、前記画像データセットの第１セットのボクセルを識別するステップ」及び「前記画像データセットに統計的にあまり存在しないグレイ値を有する、第２セットのボクセルを識別するステップ」とは、「画像データセットに統計的にしばしば存在するグレイ値を含む、画像データセットの第１セットの画像最小要素を識別するステップ」及び「画像データセットに統計的にあまり存在しないグレイ値を有する、第２セットの画像最小要素を識別するステップ」という点で共通しているといえる。
（ウ）引用発明の入出力特性が非線形な「圧縮用ＬＵＴ」を用いて「濃度分布が疎な領域が優先的に圧縮される階調変換処理が行」う操作と、補正発明の「非線形である伝達関数を使用して、前記第１セットのボクセル及び前記第２セットのボクセルに基づくスケールを計算するステップ」とは、「非線形である伝達関数を使用して、第１セットの画像最小要素及び第２セットの画像最小要素に基づくスケールを計算するステップ」という点で共通している。
（エ）引用発明の「ダイナミックレンジに関して、濃度分布が密な領域が、濃度分布が疎な領域よりも大きな範囲が割り当てられ」ることと補正発明の「前記第１セットのボクセルが、前記第２セットのボクセルよりも高いパーセンテージの相互利用空間を与えられ」ることとは、「第１セットの画像最小要素が、第２セットの画像最小要素よりも高いパーセンテージの相互利用空間を与えられ」るいう点で共通している。
　してみると、補正発明と引用発明とは、次の一致点で一致し、相違点で相違している。
《一致点》
  「画像データセットのスケールベースの可視化に使用する方法であって、
前記画像データセットに統計的にしばしば存在するグレイ値を含む、前記画像データセットの第１セットの画像最小要素を識別するステップと、
　前記画像データセットに統計的にあまり存在しないグレイ値を有する、第２セットの画像最小要素を識別するステップと、
　非線形である伝達関数を使用して、前記第１セットの画像最小要素及び前記第２セットの画像最小要素に基づくスケールを計算するステップとを有し、
　前記第１セットの画像最小要素が、前記第２セットの画像最小要素よりも高いパーセンテージの相互利用空間を与えられる、方法」である点。
《相違点１》
  補正発明においては、画像データセットのボクセルに対してスケールを計算しているのに対して、引用発明においては、被写体内の関心領域の画素に対してスケールを計算している点。
《相違点２》
　補正発明においては、伝達関数が「ヒストグラムにおいて各ボクセルが存在する回数を累積することにより計算される」のに対して、引用発明においては、「圧縮用ＬＵＴ」が「濃度値ヒストグラムにおいて、ヒストグラム値が最小となる区間を探索し、この区間の画素値が圧縮されるようにＬＵＴの傾きを変更するという一連の操作を、所望とするダイナミックレンジになるまで繰り返し行うことにより作成される」点。
エ　相違点についての判断
（ア）相違点１について以下に検討する。
　本願優先日前において、医用画像として、ボクセルをレンダリング処理して３次元画像を可視化し、表示すること、さらに、当該表示にあたり、入出力階調変換処理を行うことは、例えば、引用文献２に開示されているように周知の画像表示技術であり、引用発明に記載された画像処理技術を、引用文献２に開示されているような、３次元画像表示のためのボクセルの階調変換処理に対して適用することは、当業者が適宜なし得ることであるといえる。
（イ）相違点２について以下に検討する。
　上記摘記事項ア（ウ）ｂに記載されているように、引用文献３には、医用画像の階調変換テーブルを、入力画像の画素値のヒストグラムを累積して作成すること、そして、こうして作成された階調変換テーブルによって入力画像を階調変換すると、均一化されたヒストグラムを有する画像が得られることが記載されている。
　ここで、画像処理の技術分野において、画像中に大きな割合で存在する濃度部分と、ほとんど存在しない濃度部分とを同率に圧縮するとコントラスト感に欠ける画像となるという問題を解決するために、引用文献３に記載されているような濃度ヒストグラムを累積して作成した階調変換曲線に基づき、階調圧縮を行うことが有効であることが、例えば、特開２００２−２９０７０７号公報（特に、公報【０００６】段〜【０００７】段参照。）や特開平１０−０５１６３９号公報（特に、公報【０００６】段参照。）にそれぞれ開示されているとおり、本願優先日前における技術常識であることに鑑みれば、引用発明において、「圧縮用ＬＵＴ」の非線形な変換特性、すなわち伝達関数を、「濃度値ヒストグラムにおいて、ヒストグラム値が最小となる区間を探索し、この区間の画素値が圧縮されるようにＬＵＴの傾きを変更するという一連の操作を、所望とするダイナミックレンジになるまで繰り返し行うことにより作成」することに代えて、引用文献３に記載されているように、濃度ヒストグラムの累積により作成することは、当業者が容易に想到し得ることである。
　以上のとおりであるから、補正発明は、上記引用文献１ないし３に記載された発明及び上記技術常識に基づき、当業者が容易に発明をすることができたものあって、特許法第２９条第２項の規定により特許出願の際独立して特許を受けることができないものである。
（３）補正却下の決定のまとめ
　上記（２）のとおり、本願は、特許法第２９条第２項に規定する要件を満たしておらず、特許出願の際独立して特許を受けることができないものであるから、特許法第１７条の２第６項において準用する同法第１２６条第７項の規定に違反するので、同法１５９条第１項の規定において読み替えて準用する同法第５３条第１項の規定により却下すべきものである。
　よって、補正の却下の決定の結論のとおり決定する。
第３　本願発明について 
１　本願発明 
　平成２５年１１月２２日付けの手続補正は上記のとおり却下されたので、本願の請求項１ないし２０に係る発明は、同年３月１５日付け手続補正書により補正された特許請求の範囲の請求項１ないし２０に記載された事項により特定されるものであって、そのうち、請求項１に係る発明は以下のとおりのものである（以下、同請求項１に係る発明を「本願発明」という。）。 
　「【請求項１】
　画像データセットのスケールベースの可視化に使用する方法であって、
　前記画像データセットに統計的にしばしば存在するグレイ値を含む、前記画像データセットの第１セットのボクセルを識別するステップと、
　前記画像データセットに統計的にあまり存在しないグレイ値を有する、第２セットのボクセルを識別するステップと、
　非線形である伝達関数を使用して、前記第１セットのボクセル及び前記第２セットのボクセルに基づくスケールを計算するステップとを有し、
　前記第１セットのボクセルが、前記第２セットのボクセルよりも高いパーセンテージの相互利用空間を与えられる、方法。」
２　引用文献の記載事項 
　原査定の拒絶の理由に引用された引用文献１ないし３の記載事項は、前記第２の２（２）アに記載したとおりである。 
３　本願発明と引用発明との対比・判断 
　本願発明は、前記第２の２（２）で検討した補正発明において、「伝達関数」について、「ヒストグラムにおいて各ボクセルが存在する回数を累積することにより計算される、」という特定事項による限定がないものであるから、本願発明は，前記第２の２（２）において検討した補正発明を包含するものである。
 
　そうすると、当該補正発明と同様に、本願発明も引用文献１ないし３に記載された発明に基づいて当業者が容易に発明をすることができたものである。 
４　むすび 
　以上のとおり、本願発明は、本願出願前に頒布された上記引用文献１ないし３に記載された発明に基づいて当業者が容易に発明をすることができたものであるから、特許法第２９条第２項の規定により特許を受けることができない。 
　したがって、本願発明が特許を受けることができないものである以上、本願の請求項２ないし２０に係る発明について検討するまでもなく、本願は拒絶すべきものである。
　よって、結論のとおり審決する。